(57)【要約】【課題】室内温度制御システムについて、室内に火災が発生した緊急時に、被害拡大を防止する。【解決手段】トップライトＴ1とシーリングファンＴ2と空調機Ｔ3とが備え付けられた家屋１に、温度センサＤ1〜Ｄ3と、火災報知器Ｆ1〜Ｆ4 と、コントローラＣとから室内温度制御システムを形成した。コントローラＣは、火災報知器Ｆ1〜Ｆ4からの火災発生信号の受信時には、これに基づいて、トップライトＴ1の開閉を制御し、シーリングファンＴ2および空調機Ｔ3の運転を停止することで火災時の被害拡大が食い止められる。火災状況に応じて、トップライトＴ1が閉鎖されて家屋１の焼失の加速が防止されるか、あるいは開放されて火災により生じた煙の室外への排出が促される。【選択図】図１
2008164229.tif 000002
【特許請求の範囲】
【請求項１】
トップライトとシーリングファンと空調機とが備え付けられた家屋に、
室内の上部の温度を検出する上部温度検出手段と、
室内の下部の温度を検出する下部温度検出手段と、
室外の温度を検出する室外温度検出手段と、
室内の火災発生の有無を検知する火災検知手段と、
これら各温度検出手段および火災検知手段からの信号を受信するコントローラとを設け、
このコントローラは、火災検知手段からの火災発生信号の非受信時には、各温度検出手段から受信した温度検出信号に基づいて、トップライトの開閉と、シーリングファンの正逆転と、空調機の運転停止とを制御し、
火災検知手段からの火災発生信号の受信時には、この火災発生信号に基づいて、トップライトの開閉を制御し、シーリングファンおよび空調機の運転を停止するようにした室内温度制御システム。
【請求項２】
上記コントローラは、
上部温度検出手段及び下部温度検出手段から受信した温度検出信号に基づいて室内上部
温度と室内下部温度とを比較する手段と、
上部温度と下部温度のいずれかまたは平均値を室内温度としてこの室内温度と、室外温度検出手段からの温度検知信号に基づく室外温度とを比較する手段と、
前記室内温度と一定の設定温度とを比較する手段とを有し、
火災検知手段からの火災発生信号の非受信時には、これらの比較結果に基づいて、トップライトの開閉、シーリングファンの正逆転および空調機の運転停止を制御するようにした請求項１に記載の室内温度制御システム。
【請求項３】
上記コントローラは、火災検知手段からの火災発生信号の受信時には、この信号に基づいてトップライトをプリセットされた開閉状態へと制御するようにした請求項１または２に記載の室内温度制御システム。
【請求項４】
上記火災検知手段を複数設け、各火災検知手段を上記コントローラに単純並列接続し、
コントローラは、各火災検知手段からの火災発生信号の受信時には、トップライトを家屋の構造に応じて適切な開閉状態へと制御するようにした請求項1から３のいずれかに記載の室内温度制御システム。
【請求項５】
上記火災検知手段を複数設け、各火災検知手段を上記コントローラに個別に接続し、
コントローラは、火災検知手段からの火災発生信号の受信時には、トップライトを火災発生位置の属性情報に応じて適切な開閉状態へと制御するようにした請求項１から３のいずれかに記載の室内温度制御システム。
【請求項６】
上記上部温度検出手段と、下部温度検出手段と、室外温度検出手段と、これら各温度検出手段からの信号を受信するコントローラとからなるメインシステムと、
上記火災検知手段と、火災検知手段からの信号を受信するコントローラからなるサブシステムとを別個独立に作動および停止可能とした請求項１から５のいずれかに記載の室内温度制御システム。
【発明の詳細な説明】
【技術分野】
【０００１】
この発明は、家屋の室内温度を自動的に制御する室内温度制御システムに関する。
詳しくは、室内に火災が発生した緊急時に、空調機器を通常の作動状態から、家屋の焼失の加速を防ぎ、火災により生じた煙の室外への排出を促す状態へと自動的に切り替え、火災時における被害の拡大を防ぐことを可能とした室内温度制御システムに関する。
【背景技術】
【０００２】
夏期の室内温度を快適に保つために、家屋に空調機(冷暖房装置)やシーリングファン(天井扇)、トップライト(天窓)などを備え付け、これらをそれぞれの機器に付属したスイッチにより、運転停止、正逆転、開閉させるなどして、適温となるように操作することが行われている。
しかし、このように室内の複数の空調機器を個別に操作するとなると、機器相互の関連を考えながらそれぞれを操作せねばならず、操作が複雑となり、非常に面倒であった。
また、刻一刻変化する室内外の温度などの外的要因に対応して、きめ細かく温度調節するのは難しく、効率も悪いため、電気消費の無駄が生じる問題があった。
【０００３】
そこで、本発明者は、特許文献１に記載されているような室内温度制御システムを考案している。
これは、少なくともトップライトとシーリングファンと空調機とが備え付けられた家屋に、室内の上部の温度を検出する上部温度検出手段と、室内の下部の温度を検出する下部温度検出手段と、室外の温度を検出する室外温度検出手段と、これら各温度検出手段からの信号を受信するコントローラとを設け、このコントローラにより、受信した温度検出信号に基づいてトップライトの開閉と、シーリングファンの正逆転と、空調機の運転停止とを制御するようにしたものである。
【０００４】
この温度制御システムによると、室内の上部下部及び室内外の温度を検出するだけの簡単な手段で、家屋に備え付けられた複数の空調機器を連動させた状態で自動的に操作し、室内を適温に保つことができるため、面倒な操作が不要となって、快適な生活を営むことができ、かつ無駄が少なく、省エネルギーにも役立つ。
【０００５】
しかし、この温度制御システムを備えた家屋の室内において火災が生じた場合に、空調機やシーリングファンが通常の作動状態のままでは、例えばシーリングファンにより空気が室内を還流する状態にあると、火災発生場所に新しい空気が順次送り込まれることとなり、火の勢いが増すなどして、火災の被害が拡大する恐れがあった。
また、火災時に、トップライトが通常の作動に従って閉塞され、室内がほぼ密閉状態にあると、火災により生じた煙が室内に滞留して人の視界が遮られたり、人が煙を吸い込んだりして、緊急避難する際の障害となり、危険であった。
【特許文献１】特開２００６−２５０４０７号公報
【発明の開示】
【発明が解決しようとする課題】
【０００６】
そこで、この発明は、家屋の室内温度を自動的に制御する室内温度制御システムについて、室内に火災が発生した緊急時に、家屋の焼失の加速を防ぎ、あるいは火災により生じた煙の室外への排出を促すようにして、火災被害の拡大を防止することを課題とする。
【課題を解決するための手段】
【０００７】
上記した課題を解決するため、この発明の室内温度制御システムでは、トップライトとシーリングファンと空調機とが備え付けられた家屋に、室内の上部の温度を検出する上部温度検出手段と、室内の下部の温度を検出する下部温度検出手段と、室外の温度を検出する室外温度検出手段と、室内の火災発生の有無を検知する火災検知手段と、これら各温度検出手段および火災検知手段からの信号を受信するコントローラとを設け、このコントローラは、火災検知手段からの火災発生信号の非受信時には、各温度検出手段から受信した温度検出信号に基づいて、トップライトの開閉と、シーリングファンの正逆転と、空調機の運転停止とを制御し、火災検知手段からの火災発生信号の受信時には、この火災発生信号に基づいて、トップライトの開閉を制御し、シーリングファンおよび空調機の運転を停止するようにしたのである。
【０００８】
このようにすれば、室内に火災が発生していない通常時には、室内の上部下部及び室内外の温度を検出するだけの簡単な手段で、家屋に備え付けられた複数の空調機器を連動させた状態で自動的に操作し、室内を適温に保つことができるため、面倒な操作が不要となって、快適な生活を営むことができ、かつ無駄が少なく、省エネルギーにも役立つ。
【０００９】
そして、室内で火災が発生した非常時には、シーリングファンおよび空調機の運転が停止するので、室内の空気の循環が停止して、火災発生場所に新しい空気が送り込まれなくなり、焼失速度が減退し、延焼などが食い止められる。
また、このような非常時には、トップライトも、火災発生信号に基づいて開閉が制御されるため、状況に応じて、焼失速度の減退を優先させたい場合には、トップライトを閉塞して室外から新しい空気が室内へと流入するのを防止し、あるいは煙の室外への排出を優先させたい場合には、トップライトを開放して開口から煙を速やかに排出させ、トップライトを適切な開閉状態へと移行させることができる。
【００１０】
なお、家屋に、トップライトとシーリングファンと空調機に加え、吸気ファン、排気ファン、電動オーニング等も備え付け、コントローラによりこれらの動作も制御することにより、全体として室内温度制御システムを構築してもよいことは無論である。
【００１１】
また、コントローラは、上部温度検出手段及び下部温度検出手段から受信した温度検出
信号に基づいて室内上部温度と室内下部温度とを比較する手段と、上部温度と下部温度のいずれかまたは平均値を室内温度としてこの室内温度と、室外温度検出手段からの温度検知信号に基づく室外温度とを比較する手段と、前記室内温度と一定の設定温度とを比較する手段とを有するものとし、火災検知手段からの火災発生信号の非受信時には、これらの比較結果に基づいて、トップライトの開閉、シーリングファンの正逆転および空調機の運転停止を制御するようにするのが好ましい。
【００１２】
さらに、コントローラは、火災検知手段からの火災発生信号の受信時には、この信号に基づいてトップライトを予め設定(プリセット)された開閉状態へと制御するのが、簡便であるため好ましい。
【００１３】
火災検知手段が複数設けられた場合に、各火災検知手段を、コントローラに単純並列接続し、コントローラは、火災検知手段からの火災発生信号の受信時には、トップライトを家屋の構造に応じて適切な開閉状態へと制御するものとすると、接続が簡易であるためシステム構築のためのコストが低廉ですむ。
ここで、単純並列接続とは、ワイヤードオア接続、無線同報接続などの、火災検知手段の位置情報を特定できない並列接続のことを意味する。
【００１４】
同様に、各火災検知手段を、コントローラに個別に接続し、コントローラは、火災検知手段からの火災発生信号の受信時には、トップライトを火災発生位置の属性情報に応じて適切な開閉状態へと制御すると、火災発生位置に応じて、トップライトの開閉状態をきめ細かく調節することができるため、効果的に防炎あるいは排煙することができる。
ここで、属性情報とは、火災検知手段の設置個所の形状、使用している建築材、密閉度、出火のしやすさ、煙の流れやすさ等の属性を示す情報をいう。
【００１５】
室内温度制御システムを、上部温度検出手段と、下部温度検出手段と、室外温度検出手段と、これら各温度検出手段からの信号を受信するコントローラとからなるメインシステムと、火災検知手段と、火災検知手段からの信号を受信するコントローラからなるサブシステムとから構成し、これらメインシステムとサブシステムとを別個独立に作動および停止可能にすると、メインシステム停止時にも、サブシステムを作動させて火災発生の有無をモニターし、火災に対応できるため便利である。
【発明の効果】
【００１６】
この発明の室内温度制御システムでは、室内に火災が発生した緊急時には、火災発生信号に基づいて、コントローラがシーリングファンおよび空調機の運転を停止させ、トップライトの開閉を制御するため、家屋の焼失の加速を防ぎ、場合により火災により生じた煙の室外への排出を促し、火災時の被害の拡大を防止することができる。
【発明を実施するための最良の形態】
【００１７】
図１および図２に、実施形態の室内温度制御システムの概略を示す。
図１に示すように、家屋１の天井２には、トップライトＴ1 が設置されており、制御器Ｃ1 に与えられた信号に応じて開閉可能になっている。
また、トップライトＴ1 には図示省略の雨センサが付属し、降雨時には制御器Ｃ1 に信号を出し、トップライトＴ1 を閉じ、室内３に雨が入らないようになっているものとする。
なお、トップライトＴ1としては、日光を遮蔽できるように、後述するブラインド付のトップライトを用いることもできる。
【００１８】
図示のように、トップライトＴ1 の近傍であって、天井２の内側には、シーリングファンＴ2 が設置されており、制御器Ｃ2 に与えられた信号に応じて、適当な回転速度で正転または逆転を行い、これにより、室内３の空気に上昇流または下降流を起こさせるようになっている。
また、室内３の適宜個所には、空調機Ｔ3 が設置され、制御器Ｃ3 に与えられた信号に応じて冷房運転と停止動作を行なう。
【００１９】
また、室内３の上部の適宜個所には、火災の発生の有無を検知する火災報知器Ｆ1、Ｆ2が並列して設置され、室内３の下部の適宜個所にも、同様に火災報知器Ｆ3、Ｆ4が並列して設置されている。
これらの火災報知器Ｆ1、Ｆ2、Ｆ3、Ｆ4は、設置場所に火災が発生したときにＯＮ信号を発信する（ＯＦＦ信号でもよい）ものとする。
【００２０】
さらに、室内３の上部の適宜個所には、温度を検出する温度センサＤ1 が設置され、同様に、室内３の下部の適宜個所にも、温度センサＤ2 が設置され、室外の適宜個所、例えば床下には、温度センサＤ3 が設置されている。
これらの温度センサＤ1 、Ｄ2 、Ｄ3 は、測定された温度の信号を発生するものであってもよく、設定温度を超えたときまたは設定温度より低くなったときにＯＮ信号を発する（ＯＦＦ信号でもよい）ものでもよい。
【００２１】
家屋１には、さらに、図２に示すように、吸気ファンＴ4 と排気ファンＴ5 を設けて、室内の換気をさらに効率よく行なうことができるようにしてもよい。
また、テラスなどに電動オーニング(天幕)Ｔ6 を設け、日光の遮蔽を制御することもできる。
これらの機器には、同様に、それぞれ制御器Ｃ4 、Ｃ5 、Ｃ6 が設けられているものとする。
【００２２】
図３に示すように、前記火災報知器Ｆ1、Ｆ2、Ｆ3、Ｆ4および温度センサＤ1 、Ｄ2 、Ｄ3 は、有線または無線で室内に設置されたコントローラＣに接続されて、このコントローラＣに信号を送り、コントローラＣではそれらの信号に基づいて演算を行ない、制御器Ｃ1 、Ｃ2 、Ｃ3 に制御信号を出力する。
なお、各火災報知器Ｆ1、Ｆ2、Ｆ3、Ｆ4とコントローラＣとは、図３(ａ)のように個別に接続してもよく、図３(ｂ)のように単純に並列接続をしてもよい。
【００２３】
ここで、実施形態の室内温度制御システムは、温度センサとコントローラを接続してなるメインシステムと、火災報知器とコントローラを接続してなるサブシステムとからなり、これらは別個独立に作動、停止可能となっている。
そのため、メインシステム停止時においても、サブシステムのみを作動させることで、火災情報をモニターすることが可能である。
以下、メインシステムとサブシステムの双方を作動させた状態について説明する。
【００２４】
コントローラＣに、火災報知器からＯＮ信号が入力された場合、すなわち火災が発生している場合には、コントローラＣは、この火災報知器のＯＮ信号のみに基づいて演算を行い、制御器Ｃ1 、Ｃ2 、Ｃ3に制御信号を出力するものとする。
また、コントローラＣに、火災報知器Ｆ1、Ｆ2、Ｆ3、Ｆ4から入力されない場合、すなわち火災が発生していない場合には、コントローラＣは、温度センサＤ1 、Ｄ2 、Ｄ3から入力される測定された温度の信号(或いは設定温度を超えたときに発せられるＯＮ信号)のみに基づいて演算を行い、制御器Ｃ1 、Ｃ2 、Ｃ3に制御信号を出力するものとする。
【００２５】
そして、制御器Ｃ1 、Ｃ2 、Ｃ3は、これらコントローラＣから出力される信号に基づいて、トップライトＴ1 、シーリングファンＴ2 、空調機Ｔ3 の動作あるいは停止を行う。
【００２６】
なお、図２のように制御対象機器が増加すると、コントローラＣへ信号を送る温度センサ等の検出手段Ｄn および火災報知器等の火災検知手段が増加し、機器を制御する制御手段Ｃn も増加することは無論である。
また、温度検出手段Ｄnは、温度センサに限らず湿度計、光センサなどを用いることもでき、火災検知手段Ｆnも、同様に、火災報知器に限らず、熱センサ、煙センサなどを用いることもできる。
【００２７】
上記のような室内温度を制御するための具体的手段を、図４及び図５に基づいて説明する。
まず、図４に示すように、ステップＳ1で室内に火災が発生しているか否かを判定する。
この判定は、火災報知器からのＯＮ信号の入力があるか否かによって行われる。
【００２８】
ここで、火災が発生している場合には、ステップＳ2でシーリングファンＴ2を停止し、ステップＳ3で空調機Ｔ3を停止し、ステップＳ4でトップライトＴ1を後述するプリセットされた開閉状態に移行させ、ステップＳ5でシステムの電源を切る。
【００２９】
図３(ｂ)のように、火災報知器Ｆ1、Ｆ2 、Ｆ3、Ｆ4がコントローラＣに単純並列接続されている場合には、ステップＳ4におけるプリセットされた開閉状態は、家屋１の構造、トップライトＴ1 の位置等に基づいて決定される。
【００３０】
決定の基準は、トップライトＴ1 を閉鎖して外気を遮断し、焼失速度を減少させるのか、あるいはトップライトＴ1  を開放して排煙するのか、どちらを優先するのかによる。
例えば、家屋１に難燃性の建築材を多用している場合には、排煙のため、トップライトＴ1 が開放状態となるようにプリセットし、そうでない場合は、外気を遮断するため、トップライトＴ1 が閉鎖状態となるようにプリセットするのが好ましい。
【００３１】
また、図３(ａ)のように、火災報知器Ｆ1、Ｆ2 、Ｆ3、Ｆ4がコントローラＣに個別に接続されている場合には、プリセットされた、火災発生位置(各火災報知器Ｆ1、Ｆ2 、Ｆ3、Ｆ4の位置)、処理の重み、トップライトＴ1の開閉制御を組とした表１に示すようなテーブル情報に従い、ステップＳ4においてトップライトＴ1を所定の開閉状態に移行させる。
【００３２】
【表１】
2008164229.tif 000003
【００３３】
このような表における、トップライトＴ1の開閉および処理の重みは、火災報知器Ｆ1、Ｆ2 Ｆ3、Ｆ4の設置個所の形状、使用している建築材、密閉度、出火のしやすさ、煙の流れやすさ等の属性情報から適宜決定するものとする。
【００３４】
例えば、難燃性の建築材を使用している密閉度の高い個所と、難燃性の建築材を使用している密閉度の低い個所があった場合には、双方とも排煙を優先させるほうが望ましいので、トップライトＴ1の開閉状態を開放とする。
また、密閉度が高いほうがトップライトＴ1開放の要請が強いため、密閉度の高い個所の処理の重みを、密閉度が低い個所の処理の重みよりも大きくする。
逆に、密閉度の高低にかかわらず、燃焼性の高い建築材を使用している個所は、外気を遮断して、燃焼速度を減少させることを優先するのが望ましいので、トップライトＴ1の開閉状態を閉鎖とする。
【００３５】
ここで、火災の発生位置が 単一個所の場合には、表１に書き込まれたトップライトＴ1の開閉の指示を直接実行する。
たとえば、火災報知器Ｆ1から火災発生情報を検出した場合には、トップライトＴ1を開放し、Ｆ2から検出した場合には、トップライトＴ1を閉鎖する。
【００３６】
一方、複数個所から火災発生情報を検出した場合には、トップライトを開放制御する個所と、閉鎖制御する個所の処理の重みとを別個に積算し、積算値を比較して値が大きい方の動作を行う。
【００３７】
例えば、Ｆ1〜Ｆ4のいずれもから信号を検出した場合、開放個所の処理の重みの積算 は、１０＋３＝１３で、閉鎖個所の処理の重みの積算は、７＋５＝１２ なのでトップライトＴ1を開放する。
また、Ｆ1〜Ｆ3の３個所から信号を検出した場合、開放個所の処理の重みは１０で、閉鎖個所の処理の重みの積算は７＋５＝１２なのでトップライトＴ1を閉鎖する。
【００３８】
また同様の考えから、開放個所の処理の重みの積算と、閉鎖個所の処理の重みの積算との差分を計算し、その値の大きさに応じて、トップライトＴ1を段階的に開閉させることも可能である。
【００３９】
なお、コントローラＣは、家屋１の扉や窓の開閉状態等の周辺付加情報を読み込み可能としてもよい。
その場合には、表１のような処理の重みなどを単純な数値で表したテーブル情報に基づいて制御するのではなく、処理の重みや開閉制御を計算する関数を登録しておき、この関数に周辺付加情報を入力して、周辺状況を反映した出力を得ることにより、周辺状況を反映してトップライトＴ1の開閉制御を行うことができる。
【００４０】
このようにすれば、例えば、扉が閉じている場合には、処理の重み＝１０でトップライトＴ1が開放され、扉が開いていて窓が閉じている場合には、処理の重み＝５でトップライトＴ1が開放され、また扉が開いていて窓が開いている場合には、処理の重み＝５でトップライトＴ1が閉鎖されるといったように、扉や窓の開閉状態に対応して、トップライトＴ1の開閉をより適切な状態に変化させることも可能となる。
【００４１】
一方、火災が発生していない場合には、上記特許文献１と同様に、まず、ステップＳ10、Ｓ11、Ｓ12で室内の上部と下部の温度差Ｘ、室外と室内の温度差Ｙ、室内温度と設定温度の差Ｚを判定する。
この差Ｚは、室内環境が涼しいか暑いかを判定するものである。
これらの判定は、温度センサＤ1 、Ｄ2 、Ｄ3 からの入力信号によって行われる。
なお、以下、単に室内温度というとき、温度センサＤ1 、Ｄ2 の平均値をとってもよく、或は温度センサＤ2 のみの温度でもよい。そのほか、別途温度計を設置することもできる。
【００４２】
次に、室内上部と下部の温度差ＸがＫ1 （定数）以上かどうかを判定する（ステップＳ13）。
例えばＫ1 ＝３℃とすると、温度差が３℃未満であれば、ステップＳ14で室内外温度差ＹがＫ2 （定数）より低いか高いかを判定する。
いまＫ2 ＝０とすれば、室内温度が外気より低いか高いかだけの判定となる。室内温度が外気より高いと、ステップＳ15で室内温度が設定温度より高いか低いかを判定する（いまＫ3 ＝０とする）。
ここで設定温度は、室内環境が涼しく感じられるかどうかの限界温度である。
【００４３】
室内が涼しい環境であれば、ステップＳ16、ステップＳ17、ステップＳ18と進み、シーリングファンＴ2 を止め、トップライトＴ1 を開いて外気を室内に導入し、空調機Ｔ3 は停止しておく。
これらの操作は、コントローラＣから制御器Ｃ2 、制御器Ｃ1 、制御器Ｃ3 への指令信号によって行なわれる。
室内が暑くるしい環境であれば、ステップＳ19でシーリングファンＴ2 を回転させて上昇流を発生させ、トップライトＴ1 を開いて室内の空気を外気と入れ換える。
ここで、空調機Ｔ3 は停止したままである。
【００４４】
ステップＳ14で室内温度が外気温より高くないと判定された場合、ステップＳ20で室内環境が涼しいかどうか判定する。
室内環境が涼しければ、ステップＳ21でシーリングファンＴ2 を停止し、ステップＳ22でトップライトＴ1 を閉じる。
また、室内環境が涼しくなければ、ステップＳ23、Ｓ24、Ｓ25と順に進み、シーリングファンＴ2 を回転させて上昇流を起こし、トップライトＴ1 を開いてシーリングファンＴ2 による換気を行なう。
そして、空調機Ｔ3 を運転し冷房を行なう。
【００４５】
前記ステップＳ13で室内の上部と下部に例えば３℃以上の差がある場合には、図５のステップＳ30に進み、室外と室内の温度差を見る。室内温度の方が低い場合、ステップＳ31に進み、室内温度が設定温度以下かどうかを判定する。
設定温度以下であれば、順にステップＳ32、Ｓ33、Ｓ34と進み、シーリングファンＴ2 を停止し、トップライトＴ1 を閉じ、空調機Ｔ3 を停止する。
一方、設定温度以上の場合には、順にステップＳ35、Ｓ36、Ｓ34と進み、シーリングファンＴ2 を回転して上昇流を起こし、トップライトＴ1 を開いてシーリングファンＴ2 により室内空気を換気する。
ここで、空調機Ｔ3 は停止したままでよい。
【００４６】
前記ステップＳ30で、室内の温度が室外よりも高い場合には、ステップＳ37で室内温度が設定温度以下かどうかを判定する。設定温度以下であれば、順にステップＳ38、Ｓ39、Ｓ34に進み、シーリングファンＴ2 を停止、トップライトＴ1 を閉じ、空調機Ｔ3 を停止する。
即ち室内はそのままの状態に維持される。
【００４７】
前記ステップＳ37で、室内温度が設定温度を超えていると判定されると、順にステップＳ40、Ｓ41、Ｓ42と進み、シーリングファンＴ2 を回転させて下降流を起こし、トップライトＴ1 は閉じ、空調機Ｔ3 を運転して冷房を行なう。
これらの操作によって、室内は外気から遮断され、冷房による冷気は下降流に伴って空間を還流し、均一な室内温度を保つことができる。
【００４８】
上述のような処理ステップＳ1〜Ｓ42において、Ｋ1 、Ｋ2 、Ｋ3 の値は種々選択可能である。
また、それらの値に応じて、トップライトＴ1 の開閉度やシーリングファンＴ2 の回転速度を段階的にしたり、空調機Ｔ3 の運転を強、中、弱にしたりするなども選択可能である。
【００４９】
さらに、ブラインド付きトップライトＴ1 を用いた場合、光センサによって日照を検出し、ブラインドを開閉することもできる。
【図面の簡単な説明】
【００５０】
【図１】室内温度制御システムの一例を示す概略図
【図２】室内温度制御システムの他の例を示す概略図
【図３】室内温度制御システムの制御方法を示すブロック図
【図４】室内温度制御システムの処理ステップを示すフローチャート
【図５】室内温度制御システムの処理ステップを示すフローチャート
【符号の説明】
【００５１】
１   家屋
２   屋根
３   室内
Ｆ1、Ｆ2 、Ｆ3、Ｆ4 火災報知器
Ｄ1 、Ｄ2 、Ｄ3  温度センサ
Ｔ1  トップライト
Ｔ2  シーリングファン
Ｔ3  空調機
Ｃ1 、Ｃ2 、Ｃ3  制御器
Ｃ   コントローラ
Ｓ1〜Ｓ42   処理ステップ
【図１】
2008164229.tif 000004
【図２】
2008164229.tif 000005
【図３】
2008164229.tif 000006
【図４】
2008164229.tif 000007
【図５】
2008164229.tif 000008